(57)【要約】【課題】本発明が解決しようとする課題は、手指先の届かないコップの底でも、布巾が効果的に届くようにし、水分を容易に拭き取ることができるようにし、また干す時には、専用の場所でなくても、布巾が広がって乾燥しやすいよう、衛生的に干すことができるようにする、布巾についてある。【解決手段】矩形状の払拭具本体と、前記払拭具本体の布巾部において左右対向する辺のほぼ中央に、同布巾部の上下両辺に亘って設けられた骨部とを備えた払拭具。【選択図】図１
2014147453.tif 000002
【特許請求の範囲】
【請求項１】
矩形状の払拭具本体と、前記払拭具本体の布巾部において左右対向する辺のほぼ中央に、同布巾部の上下両辺に亘って設けられた骨部とを備えた払拭具。
【請求項２】
上記払拭具本体において、縫合部の近傍に穴を設けたことを特徴とする、請求項１に示した払拭具。
【発明の詳細な説明】
【技術分野】
【０００１】
本発明は、洗浄後の、深さのある容器やコップの底の水分など、指先が届かないところでも拭き取りやすくする払拭具に関するものである。
【背景技術】
【０００２】
コップ等を洗浄した後に布巾などで水分を拭きとるが、開口部が狭くて深さのあるコップは、コップの底まで指先が届かず、布巾を詰め込むか、自然に乾燥するのを待っている。
また、従来の布巾は一枚の平面状なものである。その他、長尺形の布を二つ折りにして２枚重ねになった略正方形の布の折り曲げた辺に、隣り合う二辺のうちどちらか一辺を閉じて、残りの二辺を開口部とした半袋状の形体をしたものなどがある。（例えば特許文献１を参照。）
【先行技術文献】
【特許文献】
【０００３】
【特許文献１】特開２００６−１５８９２１
【発明の概要】
【発明が解決しようとする課題】
【０００４】
底まで指先が届かない所の水分を容易に拭き取り、また乾かす時には、布巾専用の竿のようなものがなくても、容易に広げて干すことを可能にしたい。
【課題を解決するための手段】
【０００５】
本発明は上記課題を解決するためになされたもので、矩形状の払拭具本体と、前記払拭具本体の布巾部において左右対向する辺のほぼ中央に、同布巾部の上下両辺に亘って設けられた骨部とを備えた払拭具。
【発明の効果】
【０００６】
本発明は、布巾の中央部分に骨部を設けた事により、骨部に布巾部を巻いて棒状に保持することができるので、ある程度の力が布巾の先まで加わり、底まで指先が届かなくても、残った水分を拭き取ることができる。また干す時に、物干し竿などの専用の場所を作らなくても、骨部の中央近傍をクリップなどで挟むだけで、布巾部が広がるように干すことができる。
【図面の簡単な説明】
【０００７】
【図１】本発明の一実施例を示す斜視図である。
【図２】同実施例の使用状態を示す斜視図である。
【図３】同実施例の他の使用状態を示す斜視図である。
【図４】同実施例の乾燥状態を示す斜視図である。
【図５】同実施例の他の乾燥状態を示す斜視図である。
【図６】本発明の他の実施例の乾燥状態を示す斜視図である。
【図７】本発明の他の実施例の他の乾燥状態を示す斜視図である。
【０００８】
以下、本発明を、図面を参照しながら詳細に説明する。
矩形状の払拭具本体（１）と、前記払拭具本体（１）の布巾部（３）において左右対向する辺のほぼ中央に、同布巾部（３）の上下両辺に亘って設けられた骨部（４）とを備えた払拭具である。
【０００９】
矩形状の布巾部（３）には、ほぼ中央に骨部（４）が設けられており、骨部（４）を中心とし、右布巾部（３a）と左布巾部（３ｂ）で構成されている。
【００１０】
骨部（４）は図１で示すように、布巾部（３）のほぼ中央に、芯棒（４ｂ）を覆い部（４a）で棒状に包みこみ、縫合部（２）にて形成される。
【００１１】
芯棒（４）は、弾力があって水に強い素材であり、本体（１）を洗って絞った後でも元の棒状に戻る性質のあるものとする。また、芯棒（４）の断面の形状は問わない。
【００１２】
芯棒（４）の具体例としてスポンジを使用すると、本体（１）を水で洗い、ねじって水分を絞った際に、布巾に合わせて形状も変形し、広げれば元の形状に戻る。絞った後にもスポンジ芯棒部分に水分が残らす、芯棒（４b）を覆っている覆い部（４a）の内側も空気が通り、乾きやすく、衛生的である。
【００１３】
図２に示すように、手の届かないコップ（５）の底を拭く場合には、骨部（４）に布巾部（３）を軽く巻きつけて拭くことができる。
【００１４】
図３に示すように、皿（６）など、裏表を一度に拭く場合には布巾部（３）を広げ、一枚の平面状の布巾として使用できる。この時、芯棒（４b）の素材に弾力があれば、皿の形状に沿った形となり、拭き残しが少ない。
【００１５】
骨部（４）の芯棒（４b）に、軽く力を加えるだかで形状を変形でき、加えた力を解放すると元の形状に戻る、スポンジ等の素材を使用することによって、茶碗の内側など、少ない力でも湾曲に沿って布巾部（３）が密着し、拭き残しが少なくなる。また、テーブルの上面のように平坦な場所を拭く時にも、棒形状に保持されている骨部（４）は少ない力でも平坦な面上に布巾部（３）が密着され、拭き残しが少なくなる。
【００１６】
図４に示すように、骨部（４）には、布巾部（３）の重さに耐えられるとともに、元の形状に戻るほどの形状保持力があり、元の直線の形状を保持できる。本発明品を干す場合には、骨部（４）の中央部分をクリップ（７）で挟むだけで、本体（１）を広げて干す事ができ、クリップ（７）にフック（９）を備えた吊り具（８）により、容易に空中に広げて干すことが可能である。
【００１７】
図５に示すように本発明品を乾燥させる状態の実施例では、従来の布巾同様に、右布巾部（３a）と左布巾部（３b）を広げ、棒状のハンガー（15）に干すこともできる。
【００１８】
図６に示す、本発明品の他の実施例において、骨部（４）の下部近傍に穴（10）が設けられていて、穴（10）にS字フック（11）を通し、骨部（４）をS字フック（11）上に乗せるように掛け、S字フック（11）の他方フックを戸棚の取手（12）等に吊るせば、容易に本体（１）を広げて干す事ができる。
なお、S字フック（11）は幅広のものを図示してあるが、一本の棒状のものでもよい。ただし、幅広のものの方が安定して掛けられるし、布巾の形状が保たれる。
【００１９】
図７に示す、本発明品を乾燥させる状態の他の実施例では、S字フック（11）の一方の端部に本体（１）を掛け、他方の端部に吸盤（14）を設け、吸盤（14）を壁（13）に取り付けたときには、壁（13）と干された本体（１）の間に空間が生じ、衛生的に早く乾かすことができる。
【符号の説明】
【００２０】
１      本体
２      縫合部
３      布巾部
３a     右布巾部
３b     左布巾部
４      骨部
４a     覆い部
４ｂ    芯棒
５      コップ
６      皿
７      クリップ
８      吊り具  
９      フック
10      穴
11      S字フック
12      取手
13      壁
14      吸盤
15      ハンガー
【図１】
2014147453.tif 000003
【図２】
2014147453.tif 000004
【図３】
2014147453.tif 000005
【図４】
2014147453.tif 000006
【図５】
2014147453.tif 000007
【図６】
2014147453.tif 000008
【図７】
2014147453.tif 000009